(57)【要約】【課題】いつ相手と通話できたのかがわかるようにする。【解決手段】記憶部２により、電話番号の相手と前回通話したときの通話開始時間と終話時間とを電話番号に対応付けて電話帳データとして格納し、表示部３により、電話番号とこの電話番号に対応する通話開始時間と終話時間とを表示し、制御部１により、通話開始時間と終話時間とを計測して記憶部２に格納させこの記憶部２に格納した通話開始時間と終話時間とをこの通話開始時間と終話時間とに対応する電話番号とともに表示部３に表示させる。【選択図】      図１
2005094454.tif 000002
【特許請求の範囲】
【請求項１】
電話番号と名前とが対応付けられた電話帳データを有する移動端末において、
前記電話番号の相手と前回通話したときの通話開始時間と終話時間とを前記電話番号に対応付けて前記電話帳データとして格納する記憶部と、
前記電話番号とこの電話番号に対応する前記通話開始時間と前記終話時間とを表示する表示部と、
前記通話開始時間と前記終話時間とを計測して前記記憶部に格納させこの記憶部に格納した前記通話開始時間と前記終話時間とをこの通話開始時間と前記終話時間とに対応する前記電話番号とともに前記表示部に表示させる制御部と、
を備えたことを特徴とする移動端末。
【請求項２】
前記電話番号の相手と前回通話したときの日付を前記電話番号に対応付けて前記電話帳データとして更に格納する前記記憶部と、
前記電話番号に対応する前記日付を更に表示する前記表示部と、
前記日付を前記記憶部に更に格納させこの記憶部に格納した前記日付を前記表示部に更に表示させる前記制御部と、
を備えたことを特徴とする請求項１記載の移動端末。
【請求項３】
前記電話番号の相手との通話頻度を前記電話番号に対応付けて前記電話帳データとして更に格納する前記記憶部と、
前記電話番号に対応する前記通話頻度を更に表示する前記表示部と、
前記通話頻度を計測して前記記憶部に更に格納させこの記憶部に格納した前記通話頻度を前記表示部に更に表示させる前記制御部と、
を備えたことを特徴とする請求項１又は２記載の移動端末。
【請求項４】
前記通話頻度は、前記電話番号の相手と通話した回数を示すことを特徴とする請求項３記載の移動端末。
【請求項５】
電話番号と名前とが対応付けられた電話帳データを有する移動端末における通話確認方法において、
通話を希望する相手の電話番号に発呼する第１のステップと、
前記発呼した前記電話番号の相手と接続したときに通話の開始時間を計測しこの計測した前記通話開始時間を前記電話番号に対応付けて前記電話帳データに格納する第２のステップと、
前記電話番号の相手と切断したときに終話時間を計測しこの計測した前記終話時間を前記電話番号に対応付けて前記電話帳データに格納する第３のステップと、
前記電話帳データに格納した前記通話開始時間と前記終話時間とを前記電話番号に対応付けて表示する第４のステップと、
を含むことを特徴とする移動端末における通話確認方法。
【請求項６】
前記第２のステップは、前記電話番号の相手と接続したときの日付を前記電話番号に対応付けて前記電話帳データに更に格納し、
前記第４のステップは、前記電話帳データに格納した前記日付を前記電話番号に対応付けて更に表示するようにしたことを特徴とする請求項５記載の移動端末における通話確認方法。
【請求項７】
前記第２のステップは、前記電話番号の相手と接続したときに前記電話番号の相手との通話頻度を計数しこの計数した前記通話頻度を前記電話番号に対応付けて前記電話帳データに更に格納し、
前記第４のステップは、前記電話帳データに格納した前記通話頻度を前記電話番号に対応付けて更に表示するようにしたことを特徴とする５又は６記載の移動端末における通話確認方法。
【請求項８】
前記通話頻度は、前記電話番号の相手と通話した回数を示すことを特徴とする請求項７記載の移動端末における通話確認方法。
【発明の詳細な説明】
【技術分野】
【０００１】
本発明は移動端末及び移動端末における通話確認方法に関し、特に電話番号と名前とが対応付けられた電話帳データを有する移動端末及び移動端末における通話確認方法に関する。
【背景技術】
【０００２】
従来、この種の移動端末は、登録された電話番号に対して通話した時間の情報を表示するために用いられている。
【０００３】
従来の移動端末は、電話番号と名前とに対応づけてその電話番号の相手と通話した時間又はこの時間の累積値をメモリに格納し、電話帳データを検索する際には、電話番号と名前とともに通話した時間又は通話した時間の累積値を表示する。（例えば、特許文献１参照）。
【０００４】
【特許文献１】特開平１０−１４５５２５号公報（請求項１、２）
【発明の開示】
【発明が解決しようとする課題】
【０００５】
上述した従来の移動端末は、従来の移動端末は、電話番号と名前とに対応づけてその電話番号の相手と通話した時間をメモリに格納し、電話帳データを検索する際に、電話番号と名前とともに通話した時間を表示するようにしているため、通話時間はわかるがいつ相手と通話できたのかわからないという問題点がある。
【０００６】
本発明の目的はこのような従来の欠点を除去するため、通話時間とともにいつ相手と通話できたのかがわかる移動端末及び移動端末における通話確認方法を提供することにある。
【課題を解決するための手段】
【０００７】
本発明の移動端末は、電話番号と名前とが対応付けられた電話帳データを有する移動端末において、
前記電話番号の相手と前回通話したときの通話開始時間と終話時間とを前記電話番号に対応付けて前記電話帳データとして格納する記憶部と、
前記電話番号とこの電話番号に対応する前記通話開始時間と前記終話時間とを表示する表示部と、
前記通話開始時間と前記終話時間とを計測して前記記憶部に格納させこの記憶部に格納した前記通話開始時間と前記終話時間とをこの通話開始時間と前記終話時間とに対応する前記電話番号とともに前記表示部に表示させる制御部と、
を備えて構成されている。
【０００８】
また、本発明の移動端末は、前記電話番号の相手と前回通話したときの日付を前記電話番号に対応付けて前記電話帳データとして更に格納する前記記憶部と、
前記電話番号に対応する前記日付を更に表示する前記表示部と、
前記日付を前記記憶部に更に格納させこの記憶部に格納した前記日付を前記表示部に更に表示させる前記制御部と、
を備えて構成されている。
【０００９】
更に、本発明の移動端末は、前記電話番号の相手との通話頻度を前記電話番号に対応付けて前記電話帳データとして更に格納する前記記憶部と、
前記電話番号に対応する前記通話頻度を更に表示する前記表示部と、
前記通話頻度を計測して前記記憶部に更に格納させこの記憶部に格納した前記通話頻度を前記表示部に更に表示させる前記制御部と、
を備えて構成されている。
【００１０】
本発明の移動端末における通話確認方法は、電話番号と名前とが対応付けられた電話帳データを有する移動端末における通話確認方法において、
通話を希望する相手の電話番号に発呼する第１のステップと、
前記発呼した前記電話番号の相手と接続したときに通話の開始時間を計測しこの計測した前記通話開始時間を前記電話番号に対応付けて前記電話帳データに格納する第２のステップと、
前記電話番号の相手と切断したときに終話時間を計測しこの計測した前記終話時間を前記電話番号に対応付けて前記電話帳データに格納する第３のステップと、
前記電話帳データに格納した前記通話開始時間と前記終話時間とを前記電話番号に対応付けて表示する第４のステップと、
を含んで構成されている。
【００１１】
また、本発明の移動端末における通話確認方法の前記第２のステップは、前記電話番号の相手と接続したときの日付を前記電話番号に対応付けて前記電話帳データに更に格納し、前記第４のステップは、前記電話帳データに格納した前記日付を前記電話番号に対応付けて更に表示するようにしている。
【００１２】
更に、本発明の移動端末における通話確認方法の前記第２のステップは、前記電話番号の相手と接続したときに前記電話番号の相手との通話頻度を計数しこの計数した前記通話頻度を前記電話番号に対応付けて前記電話帳データに更に格納し、前記第４のステップは、前記電話帳データに格納した前記通話頻度を前記電話番号に対応付けて更に表示するようにしている。
【発明の効果】
【００１３】
本発明によれば、記憶部により、電話番号の相手と前回通話したときの通話開始時間と終話時間とを電話番号に対応付けて電話帳データとして格納し、表示部により、電話番号とこの電話番号に対応する通話開始時間と終話時間とを表示し、制御部により、通話開始時間と終話時間とを計測して記憶部に格納させこの記憶部に格納した通話開始時間と終話時間とをこの通話開始時間と終話時間とに対応する電話番号とともに表示部に表示させるため、表示部により、電話番号の相手と前回通話したときの通話開始時間と終話時間とが表示されるので、通話時間とともに何時から何時まで相手と通話できたのかがわかる。
【発明を実施するための最良の形態】
【００１４】
次に、本発明の実施の形態について図面を参照して説明する。
【００１５】
図１は、本発明の移動端末の一つの実施の形態を示すブロック図である。
【００１６】
図１に示す本実施の形態の移動端末は、記憶部２と、表示部３と、制御部１とにより構成する。
【００１７】
移動端末は、電話番号と名前とを対応付けて電話帳データとして格納する電話帳機能を有する携帯電話端末やＰＨＳ（Ｐｅｒｓｏｎａｌ  Ｈａｎｄｙｐｈｏｎｅ  Ｓｙｓｔｅｍ）端末等である。
【００１８】
記憶部２は、電話番号の相手と前回通話したときの通話開始時間と終話時間とを電話番号に対応付けて電話帳データとして格納する。
【００１９】
表示部３は、液晶表示装置等のディスプレイ装置であり、電話番号とこの電話番号に対応する通話開始時間と終話時間とを表示する。
【００２０】
制御部１は、通話開始時間と終話時間とを計測して記憶部２に格納させこの記憶部２に格納した通話開始時間と終話時間とをこの通話開始時間と終話時間とに対応する電話番号とともに表示部３に表示させる。
【００２１】
次に、本実施の形態の移動端末の動作を図２及び図３を参照して詳細に説明する。
【００２２】
図２は、本発明の実施の形態の動作の一例を示すフローチャートである。
【００２３】
図３は、記憶部２に格納した電話帳データの内容の一例を示す図であり、メモリ番号、名前、電話番号、日付、通話開始時間及び終話時間を示している。メモリ番号は、電話帳データに格納した内容の通し番号である。名前は、電話帳データに登録した電話相手の名前である。電話番号は、電話相手の電話番号である。日付（例えば、２００３年９月１１日）は、電話番号の相手と前回通話したときの日付である。通話開始時間（例えば、１０時５分１２秒）は、電話番号の相手と前回通話したときの通話開始時間である。終話時間（例えば、１０時８分３０秒）は、電話番号の相手と前回通話したときの終話時間である。終話時間から通話開始時間を引くと通話時間がわかる。この通話時間を電話帳データに含めても良い。
【００２４】
図１において、図２のステップ２１では、操作者の操作部（例えば、キースイッチ等。不図示。）への操作にしたがい、制御部１は、例えば、記憶部２に格納した図３で示す電話帳データを表示部３に表示し、表示された電話番号のうちの、操作者が操作部により指定した通話を希望する相手の電話番号に発呼する。
【００２５】
図２のステップ２２では、制御部１は、発呼した電話番号の相手と接続したときに通話中になったと判断し通話の開始時間を計測しこの計測した通話開始時間をこの電話番号に対応付けて記憶部２内の電話帳データに格納する。また、この電話番号の相手と接続したときの日付もこの電話番号に対応付けて記憶部２内の電話帳データに格納する。更に、この電話番号の相手と接続したときにこの電話番号の相手との通話頻度（通話した回数）を計数しこの計数した通話頻度をこの電話番号に対応付けて電話帳データに格納する。
【００２６】
図２のステップ２３では、制御部１は、通話中の電話番号の相手と切断したときに終話時間を計測しこの計測した終話時間を電話番号に対応付けて電話帳データに格納する。
【００２７】
図２のステップ２４では、例えば操作者が、後日電話帳データ内の各電話番号の通話状況を確認するために電話帳データの閲覧を希望し、操作部を操作すると、制御部１は操作者の操作にしたがい、電話帳データに格納した日付、通話頻度、通話開始時間と終話時間とを電話番号に対応付けて表示する。
【００２８】
操作者は、この表示を見て、どの電話番号の相手とはいつの日付に何時から何時まで通話したか、また、通話頻度はどうか等がわかるので利便性が良くなる。
【図面の簡単な説明】
【００２９】
【図１】本発明の移動端末の一つの実施の形態を示すブロック図である。
【図２】本発明の実施の形態の動作の一例を示すフローチャートである。
【図３】記憶部に格納した電話帳データの内容の一例を示す図である。
【符号の説明】
【００３０】
１    制御部
２    記憶部
３    表示部
【図１】
2005094454.tif 000003
【図２】
2005094454.tif 000004
【図３】
2005094454.tif 000005